(57)【要約】      （修正有）【課題】宝クジ券に常時太陽光線を当てて「陽のエネルギー」による開運パワーを与えながら収納、保管する宝クジ収納箱を提供する。【解決手段】宝クジ収納箱の前面プレート１表面に５円又は５０円金貨を配し、金貨の中央穴と一致して、御霊１２又は縁起プレート及び、前面プレートの内壁板に宝クジ収納室へ貫通する開口穴を設ける。なお、前面プレート１の外周部に支柱プレート２、横プレート３、中プレート４、中央プレート５、及び、シンボルバッチ１１により、神社鳥居を形成し、その神社鳥居内に黄金リングを取り付けた御霊１２又は富士山等の縁起絵図を配するのが好ましい。なおまた、金貨は御霊１２又は富士山等の縁起プレート内に取り付けるのが好ましい。また、宝クジ収納室の色相は黄色とするのが好ましい。【選択図】    図１
2004358935.tif 000002
【特許請求の範囲】
【請求項１】
宝クジ箱の前面プレート（１）表面に５円又は５０円玉の金貨（１５）を配したことを特徴とする宝クジ収納箱。
【請求項２】
前記、宝クジ収納箱で前面プレート（１）御霊（１２）又は縁起プレート（Ａ）（２７）に、該金貨の中央穴（１７）と一致して、宝クジ収納室（２０）へ貫通する開口穴（１８）（１９）を設けたことを特徴とする宝クジ収納箱。
【請求項３】
前記、宝クジ収納箱の前面プレート（１）部に、御霊（１２）又は、一富士、二鷹、三ナス等の縁起プレート（Ａ）（２７）を取り付け、該御霊又は縁起プレート（Ａ）内に５円又は５０円玉の金貨（１５）を配してなることを特徴とする宝クジ収納箱。
【請求項４】
前記、宝クジ収納箱の前面プレート（１）部を、神社鳥居形に形成したことを特徴とする宝クジ収納箱。
【請求項５】
前記、宝クジ収納箱で、神社鳥居形に形成した前面プレート（１）の神社鳥居内に、御霊（１２）又は縁起プレート（Ａ）（２７）縁起プレート（Ｂ）（２８）及び縁起プレート（Ｃ）（２９）などの縁起絵図を配してなることを特徴とする宝クジ収納箱。
【請求項６】
前記、宝クジ収納箱で、宝クジ収納室（２０）内の色相を黄色としたことを特徴とする宝クジ収納箱。
【発明の詳細な説明】
【０００１】
【発明の属する技術分野】
本発明は、宝クジ券に常時、太陽光線を当てて「陽のエネルギー」による開運パワーを与えながら収納、保管すると共に５円又は５０円金貨による金銀財宝への御縁力、神社鳥居、御霊、縁起絵図及び黄金リング等による金銀財宝への御縁力をさらに高めて、宝クジ券を大切に収納、保管する、いわゆる宝クジ収納箱に関する。
【０００２】
【従来の技術】
従来、宝クジの収納にあたっては、タンスや机の引出し、仏壇などを利用したり、普段使用している箱類などを利用して収納、保管している。
【０００３】
【発明が解決しようとする課題】
しかしながら、前記、従来のようにタンスや机の引出しに入れて収納、保管した場合、後でその置き場所を忘れてしまったり、タンスや机の引き出しに入れているものと混同してしまい、そのために置き場所がわからなくなったり折れ曲がったりして、粗末に取り扱れてしまっていた。また、タンスや机の引出しに収納、保管しているため、宝クジ券に太陽の光りが当らず、したがって、常時「陽のエネルギー」による開運パワーを与えて収納、保管することが出来なかった。
本発明は前記、従来の不都合を解消し、簡単な構造で、常に宝クジ券に太陽の光を与えながら収納、保管する宝クジ収納箱を提供することを目的とする。
【０００４】
【課題を解決するための手段】
上記の問題を解決するために、本発明は宝クジ収納箱の前面プレート部に５円又は５０円玉の金貨を配し、該金貨の中央穴と一致して、宝クジ収納箱内へ貫通する開口穴を設けた構造としている。また、前記、前面プレート部は神社鳥居形に形成した神社鳥居内に御霊を配す。あるいは一富士、二鷹、三ナスなどの縁起絵図を配した構造としている。
したがって、宝クジ収納箱内に収納された宝クジ券には、前面プレートに配した御霊の力と、５円又は５０円玉の金貨の中央穴より取り込まれる太陽の光り、いわゆる「陽のエネルギー」が取り込まれる。したがって本案によれば、収納した宝クジ券には、常時、「陽のエネルギー」による開運パワーが与えられながら収納保管される。
また、前記、御霊、または縁起絵図を固定する固定リング、及び、５円又は５０円金貨の周囲に設けた固定リングは、黄金リングで構成されており、したがって御霊又は、縁起絵図には、その黄金リングの輝きが常に与えられ、さらに５円又は５０円玉にも、その黄金リングの力が与えられて、金銀財宝への結びつきをさらに強力にした形で収納、保管される構造となっている。
【０００５】
【発明の実施の形態】
本発明は、宝クジ収納箱の前面プレート表面に５円又は５０円玉の金貨を配したことを特徴とする。
【０００６】
また、前記、宝クジ収納箱の前面プレート、御霊又は縁起プレートに該金貨の中央穴と一致して、宝クジ収納室内へ貫通する開口穴を設けることが好ましい。
【０００７】
また、前記、宝クジ収納箱の前面プレート部は、神社鳥居形に形成することが好ましい。
【０００８】
さらにまた、神社鳥居形に形成した前面プレート部の神社鳥居内に御霊を配することが好ましい。
【０００９】
なおまた、前記宝クジ収納箱の前面プレート部に、一富士、二鷹、三ナスなどの縁起絵図を配することが好ましい。
【００１０】
また、前記宝クジ箱の前面プレート表面に配した５円又は５０円玉の金貨は、御霊内、又は一富士等の縁起絵図を配した縁起プレート内に取り付けるのが好ましい。
【００１１】
なお、前記宝クジ収納室内の色相は黄色にするのが好ましい。
【００１２】
【実施例】
実施例について図面を参照して説明すると、図１〜図３において、１は本案宝クジ収納箱の前面プレートであり、その前面プレートの左右両側面には支柱プレート２が接着剤などで、前面プレートに固定され、いわゆる一体構造品となっている。
また、前面プレート１には図１〜図３に示した如く、支柱プレート２の上方部に横プレート３が、また、支柱プレート２、２間には中プレート４が取り付けられている。
５は前記横プレート３及び、中プレート４の上下間に取り付けられた中央柱であり、前記支柱プレート２、２横プレート３及び、中プレート４と共に神社鳥居形を形成している。
６は図３に示した如く、本案宝クジ収納箱の前面プレート内壁板７に接着固定されて外側ボックス８を形成する外側面プレートである。
９は前記、外側面プレート６の上面部に図２〜図３に示した如く接着固定された上蓋、１０は外側面プレート６の下面部に接着固定されたベースプレートである。
１１は前記中央柱５に取り付けたシンボルバッチである。
また、本案の実施例においては各部品を接着構造としたが、プラスチック等による一体構造品として形成してもよい。
１２は銅版、鋳造品又はプラスチック成形品などからなる御霊であり、前記神社鳥居形に形成した前面プレート１の中央部に設けた前面プレート開口穴１３部に取り付けられる。
１４は前記、御霊１２を押圧固定すると共に、御霊１２に光りと輝きを与えて御霊１２の力を一層強化させるための黄金リング（１）である。
また、前記銅版などからなる御霊１２に設けた凹部には、図３に示した如く５円又は５０円玉の金貨１５及び、その金貨１５に光と輝きを与える黄金リング（２）１６が強力接着剤などにより、接着固定されており、その金貨の中央穴１７は御霊１２に設けた御霊開口穴１８、及び、前面プレート内壁板７に設けた前面プレートの内壁板開口穴１９と一致して、いわゆる宝クジ収納室２０に通ずる貫通穴となっている。２１は宝クジ収納室２０を形成する裏フタ、２２はその側面プレート、２３は宝クジ収納室２０内に収納された宝クジ券であり、収納、保管時には宝クジ収納室２０内に収納した後、図２のＰ矢印で示した如く外側面プレート６で形成された外側ボックス８内に挿入して収納、保管されている。また、宝クジ券２３を収納する宝クジ収納室２０の内面は、黄色布、黄色塗料などにより黄色壁に仕上げられている。
２４は図３に示した如く外側ボックス８を形成する外側面プレート６の端面にその全周にわたって取り付けた吸着板であり、裏フタ２０に取り付けた吸着シート２５を吸着固定するよってなっている。２６は裏フタ２０に取り付け固定した裏フタ取り外し用ツマミである。
【００１３】
図４に示されている実施例では、前記、図１〜図３で示した実施例と同様に、前面プレート１の中央部には前記実施例に示した御霊１２の代りとして富士山等の縁起絵図を配した縁起プレート（Ａ）２７が取り付けられている。
また、その縁起プレート（Ａ）２７には５円又は５０円玉の金貨が取り付けられており、その金貨の中央穴１７は、縁起プレート（Ａ）２７及び、前面プレート内壁板７に設けた前面プレートの内壁板開口穴１９と一致して、宝クジ収納室２０に通ずる貫通穴となっている。
また、富士山等の縁起絵図を配した縁起プレート（Ａ）２７は、その左右両側面に設けた鷹の絵図を配した縁起プレート（Ｂ）２８、ナスの絵図を配した縁起プレート（Ｃ）２９などの縁起絵図と合わせて、一富士、二鷹、三ナスなどの縁起図となっており、この縁起図以外は、前記、図１〜図３に示した実施例と同様の構成とした。
【００１４】
図５及び図６に示されている実施例では、前記、図４で示した一富士、二鷹、三ナス等の縁起絵図を配した部分は前記、図４と同一構成とし、宝クジ収納箱の前面プレート１外周部に設けた支柱プレート２、横プレート３、中プレート４、中央柱５、宝クジ収納箱の上フタ９及び、シンボルバッチ１１などのいわゆる神社鳥居形を形成する部品を廃した構造とした以外は、図６にその断面図を示した如く、前記、図１〜図３、及び、図４で示した実施例と同様の構成とした。
【００１５】
【発明の効果】
本発明は、以上説明した状態で実施され、以下に記載されている効果を奏する。
【００１６】
図２〜図６に示した如く、今、宝クジ券を宝くじ収納室に収納した場合、その宝クジ券には前面プレートに配した５円又は５０円玉の金貨の中央穴、御霊又は富士山等の縁起絵図を配した縁起プレート（Ａ）、及び、前面プレートの内壁板に一致して設けた開口穴を通して、矢印Ｒで示した如く太陽の光線が常時宝クジ収納室へ注ぎ込まれる。したがって、宝クジ収納室に収納、保管された宝クジ券には太陽光線による「陽のエネルギー」、いわゆる開運パワーが常時与えられて収納、保管することが出来る。
【００１７】
また、この時、宝クジ券には前面プレートに配した神社鳥居の力と、御霊又は富士山等の縁起絵図の力、さらに５円又は５０円金貨による金銀財宝への御縁に結びつく力を常時、宝クジ券に与えながら収納、保管することが出来る。
【００１８】
さらにまた、御霊又は富士山等の縁起絵図、及び、５円又は５０円金貨の外周に取り付けた黄金リングにより、御霊、又は富士山等の縁起絵図、及び、５円又は５０円金貨に、常時黄金リングの光と輝きを与えて御霊の力、富士山等の縁起絵図の力、及び、５円又は５０円金貨による財宝への御縁を、さらに強化させて、常時、宝クジ券にその力を与えながら収納、保管することが出来る。
【００１９】
また、宝クジ収納室の黄色の色相に太陽光線を与えて、太陽光線による「陽のエネルギー」の力をさらに高めて、宝クジ券にその力を与えながら収納、保管することができる。
【００２０】
また、宝クジ券を収納、保管した状態で神棚や床の間等に神社鳥居形の置物として、また、一富士、二鷹、三ナス等の縁起置物として利用することが出来る。
【００２１】
さらにまた、宝クジ収納箱の前面プレート部の構成を変更するのみにて、御霊式神社鳥居形、富士山等による縁起絵図式の神社鳥居形、一富士、二鷹、三ナス等の縁起絵図形の宝クジ収納箱を容易に提供することが出来る構成となっており、極めて構造簡単、安価にして、経済的価値も大である。
【図面の簡単な説明】
【図１】宝クジ収納箱の実施例を示す正面図
【図２】図１のＡ−Ａ線断面図
【図３】図１のＡ−Ａ線拡大断面図
【図４】宝クジ収納箱の実施例を示す正面図
【図５】宝クジ収納箱の実施例を示す正面図
【図６】図５のＢ−Ｂ線拡大断面図
【符号の説明】
１    前面プレート
２    支柱プレート
３    横プレート
４    中プレート
５    中央柱
６    外側面プレート
７    前面プレート内壁板
８    外側ボックス
９    上蓋
１０  ベースプレート
１１  シンボルバッチ
１２  御霊
１３  前面プレート開口穴
１４  黄金リング（１）
１５  ５円又は５０円金貨
１６  黄金リング（２）
１７  金貨の中央穴
１８  御霊開口穴
１９  内壁板開口穴
２０  宝クジ収納室
２１  裏フタ
２２  側面プレート
２３  宝クジ券
２４  吸着板
２５  吸着シート
２６  裏フタ取り外し用ツマミ
２７  縁起プレート（Ａ）
２８  縁起プレート（Ｂ）
２９  縁起プレート（Ｃ）
【図１】
2004358935.tif 000003
【図２】
2004358935.tif 000004
【図３】
2004358935.tif 000005
【図４】
2004358935.tif 000006
【図５】
2004358935.tif 000007
【図６】
2004358935.tif 000008